(57)【要約】【課題】ユーザが直接的にタッチする部分を振動させて、より良好な操作感を提供できるタッチ入力式電子機器を提供する。【解決手段】本発明によるタッチ入力式電子機器１０００は、タッチスクリーンパネル部１１２、タッチスクリーンパネル部１１２を振動させるアクチュエータ部１１８、アクチュエータ部１１８の振動がタッチスクリーンパネル部１１２に伝達されるようにアクチュエータ部１１８の両端を支持し、タッチスクリーンパネル部１１２を支持するガイド部１２０、及びガイド部１２０を支持するケース１０２，１０４を含むことを特徴とする。アクチュエータ部１１８は、複数設けることができる。【選択図】図１
2010287207.tif 000002
【特許請求の範囲】
【請求項１】
タッチスクリーンパネル部と、
前記タッチスクリーンパネル部を振動させるアクチュエータ部と、
前記アクチュエータ部の振動が前記タッチスクリーンパネル部に伝達されるように前記アクチュエータ部の両端を支持し、前記タッチスクリーンパネル部を支持するガイド部と、
前記ガイド部を支持するケースと、を含むタッチ入力式電子機器。
【請求項２】
前記アクチュエータ部が複数であることを特徴とする請求項１に記載のタッチ入力式電子機器。
【請求項３】
前記ガイド部は、前記タッチスクリーンパネル部の周縁を支持するように環状となっていることを特徴とする請求項２に記載のタッチ入力式電子機器。
【請求項４】
複数の前記アクチュエータ部が、前記ガイド部の両側に対称に配置されていることを特徴とする請求項３に記載のタッチ入力式電子機器。
【請求項５】
前記アクチュエータ部は長手方向に延びる形態となっており、
前記ガイド部は前記アクチュエータ部の長手方向の両端を支持していることを特徴とする請求項１から請求項４の何れか１項に記載のタッチ入力式電子機器。
【請求項６】
前記ガイド部は、前記タッチスクリーンパネル部の周縁を支持する環状のボディと、
前記アクチュエータ部の底面を支持するように前記ボディの一部に形成されている支持部と、を含むことを特徴とする請求項５に記載のタッチ入力式電子機器。
【請求項７】
前記支持部の厚さが前記ボディの厚さよりも薄いことを特徴とする請求項６に記載のタッチ入力式電子機器。
【請求項８】
前記アクチュエータ部が、
圧電素子と、
前記圧電素子と前記ガイド部との間に介在している支持部材と、を含むことを特徴とする請求項１から請求項７の何れか１項に記載のタッチ入力式電子機器。
【請求項９】
前記圧電素子が積層型であることを特徴とする請求項８に記載のタッチ入力式電子機器。
【請求項１０】
前記ガイド部の振動が前記ケースに伝達されることを防止するために、前記ガイド部と前記ケースとの間に介在している第１防振部をさらに含む請求項１から請求項９の何れか１項に記載のタッチ入力式電子機器。
【請求項１１】
前記タッチスクリーンパネル部の一面に結合されているディスプレイパネル部をさらに含む請求項１から請求項１０の何れか１項に記載のタッチ入力式電子機器。
【請求項１２】
前記タッチスクリーンパネル部と前記ディスプレイパネル部との間に介在している第２防振部をさらに含む請求項１１に記載のタッチ入力式電子機器。
【請求項１３】
前記第２防振部が、前記タッチスクリーンパネル部の周縁に沿って前記タッチスクリーンパネル部と前記ディスプレイパネル部との間に介在していることを特徴とする請求項１２に記載のタッチ入力式電子機器。
【発明の詳細な説明】
【技術分野】
【０００１】
本発明はタッチ入力式電子機器に関する。
【背景技術】
【０００２】
タッチスクリーンパネルは、スタイラスペン（ｓｔｙｌｕｓ  ｐｅｎ）やユーザの手を用いて特定領域を加圧することにより、そのタッチスクリーンパネルが装着されている電子機器に、その加圧位置に該当する入力信号を伝達する一種の入力装置である。
【０００３】
最近、携帯電話などの電子機器において、ユーザに対してより良好な操作感を提供するために、ユーザがタッチスクリーンパネルをタッチすると、電子機器が振動するフィードバックをユーザに与える装置が登場している。
【発明の概要】
【発明が解決しようとする課題】
【０００４】
このような電子機器においては、ユーザがタッチスクリーンパネルをタッチすると、電子機器の全体を振動させており、ユーザにより大きなフィードバックを与えるためにはより大きい容量の駆動機が必要であった。
【０００５】
しかし、携帯用電子機器の場合は、その大きさやバッテリの容量に限界があるため、ユーザにより良好な操作感を提供するのに困難であった。
【０００６】
こうした従来技術の問題点に鑑み、本発明は、より良好な操作感を提供することができるタッチ入力式電子機器を提供することを目的とする。
【課題を解決するための手段】
【０００７】
本発明の一実施態様によれば、タッチスクリーンパネル部と、タッチスクリーンパネル部を振動させるアクチュエータ部と、アクチュエータ部の振動がタッチスクリーンパネル部に伝達されるようにアクチュエータ部の両端を支持し、タッチスクリーンパネル部を支持するガイド部と、ガイド部を支持するケースと、を含むタッチ入力式電子機器が提供される。
【０００８】
ここで、アクチュエータ部は複数であってよく、ガイド部はタッチスクリーンパネル部の周縁を支持するように環状に形成されていてよい。複数のアクチュエータ部はガイド部の両側に対称に配置されていてよい。
【０００９】
アクチュエータ部は長手方向に延びる形態を有し、ガイド部はアクチュエータ部の長手方向の両端を支持することができる。ガイド部は、タッチスクリーンパネル部の周縁を支持する環状のボディと、アクチュエータ部の底面を支持するようにボディの一部に形成されている支持部と、を含むことができ、このとき、支持部の厚さはボディの厚さよりも薄くてよい。
【００１０】
また、アクチュエータ部は、圧電素子と、圧電素子とガイド部との間に介在している支持部材を含むことができ、圧電素子は積層型であってよい。
【００１１】
一方、タッチ入力式電子機器は、ガイド部の振動がケースに伝達されることを防止するように、ガイド部とケースとの間に介在している第１防振部をさらに含むことができ、タッチスクリーンパネル部の一面と結合されているディスプレイパネル部をさらに含むことができる。
【００１２】
このとき、タッチ入力式電子機器は、タッチスクリーンパネル部とディスプレイパネル部との間に介在している第２防振部をさらに含むことができ、第２防振部は、タッチスクリーンパネル部の周縁に沿ってタッチスクリーンパネル部とディスプレイパネル部との間に介在させることができる。
【発明の効果】
【００１３】
本発明によれば、ユーザが直接的にタッチする部分を振動させることにより、より良好な操作感を提供することができる。
【００１４】
なお、上記の発明の概要は、本発明の必要な特徴の全てを列挙したものではない。また、これらの特徴群のサブコンビネーションもまた、発明となり得る。
【図面の簡単な説明】
【００１５】
【図１】本発明の一実施例によるタッチ入力式電子機器を示す分解斜視図である。
【図２】本発明の一実施例によるタッチ入力式電子機器のタッチスクリーンパネル組立体を示す斜視図である。
【図３】本発明の一実施例によるタッチ入力式電子機器のタッチスクリーンパネル組立体を示す分解斜視図である。
【図４】本発明の一実施例によるタッチ入力式電子機器のアクチュエータ部を示す平面図である。
【図５】本発明の一実施例によるタッチ入力式電子機器のアクチュエータ部を示す部分斜視図である。
【図６】本発明の一実施例によるタッチ入力式電子機器を示す断面図である。
【図７】本発明の他の一実施例によるタッチ入力式電子機器を示す分解斜視図である。
【図８】本発明の他の一実施例によるタッチ入力式電子機器の上部ケースを示す底面図である。
【図９】本発明の他の一実施例によるタッチ入力式電子機器の上部ケースの一部を示す側面図である。
【発明を実施するための形態】
【００１６】
本発明は、多様な変更を加えることができ、様々な実施例を有することができるが、本明細書では特定の実施例を図面に例示し、詳細に説明する。しかし、これは、本発明を特定の実施例に限定するものではなく、本発明は、本発明の思想及び技術範囲に含まれるあらゆる変更、均等物及び代替物を含むものとして理解されるべきである。
【００１７】
以下、本発明によるタッチ入力式電子機器の実施例を添付の図面を参照して詳細に説明するが、添付の図面を参照して説明するに当たって、同一または対応する構成要素は同一の図面番号を付し、これに対する重複説明は省略する。
【００１８】
図１は、本発明の一実施例によるタッチ入力式電子機器を示す分解斜視図である。図１に示すように、本発明の一実施例によるタッチ入力式電子機器１０００は、タッチスクリーンパネル部１１２と、タッチスクリーンパネル部１１２を振動させるアクチュエータ部１１８と、アクチュエータ部１１８の振動がタッチスクリーンパネル部１１２に伝達されるようにアクチュエータ部１１８の両端を支持し、タッチスクリーンパネル部１１２を支持するガイド部１２０と、ガイド部１２０を支持するケース１０２，１０４と、を含み、ユーザが直接的にタッチする部分を振動させて、より良好な操作感を提供することができる。
【００１９】
タッチ入力式電子機器１０００はタッチスクリーンパネル部１１２を入力部として用いて、ユーザのタッチにより情報が入力される装置である。タッチ入力式電子機器１０００は、例えば、携帯電話、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、ナビゲーション、キオスク（ｋｉｏｓｋ）、ゲーム機または自販機などに適用できる。
【００２０】
また、タッチ入力式電子機器１０００はディスプレイパネル部２００を含むことができる。ディスプレイパネル部２００はタッチスクリーンパネル部１１２の底面と結合される。ディスプレイパネル部２００はタッチ入力式電子機器１０００の画像出力部であって、タッチ入力式電子機器１０００が提供する画像を表示することができる。
【００２１】
ケース１０２，１０４は、その内部にタッチ入力式電子機器１０００を構成する構成要素が内蔵されるフレームである。ケース１０２，１０４は上部ケース１０２と下部ケース１０４を含む。上部ケース１０２はタッチ入力式電子機器１０００の上側をカバーし、下部ケース１０４はタッチ入力式電子機器１０００の下側をカバーしている。
【００２２】
タッチスクリーンパネル組立体１１０は、タッチスクリーンパネル部１１２、第１防振部１１４，１１６、ガイド部１２０、及びアクチュエータ部１１８を含むことができる。タッチスクリーンパネル部１１２は、ユーザがタッチしたか否か、及びユーザがタッチした位置を判定する装置である。
【００２３】
タッチ入力式電子機器１０００は、その内部にタッチ入力式電子機器１０００をなす構成要素の動作を制御する制御部（図示せず）を含むことができる。ユーザのタッチにより、タッチスクリーンパネル部１１２からユーザのタッチ信号が制御部に送信されると、制御部は、後述するアクチュエータ部１１８に動作信号を印加してユーザが接触したタッチスクリーンパネル部１１２に振動を発生させることができる。
【００２４】
結局、タッチスクリーンパネル部１１２は、ユーザがタッチしたか否かを判定でき、アクチュエータ部１１８は、ユーザがタッチスクリーンパネル部１１２をタッチしたか否かによりタッチスクリーンパネル部１１２を振動させる。
【００２５】
図２は、本発明の一実施例によるタッチ入力式電子機器１０００のタッチスクリーンパネル組立体１１０を示す斜視図であり、図３は、本発明の一実施例によるタッチ入力式電子機器１０００のタッチスクリーンパネル組立体１１０を示す分解斜視図である。
【００２６】
図２および図３に示すように、ガイド部１２０はほぼ矩形の環状となっている。ガイド部１２０の内周面はタッチスクリーンパネル部１１２の外周面に接してタッチスクリーンパネル部１１２の外周面と結合している。したがって、ガイド部１２０はタッチスクリーンパネル部１１２の周縁を支持している。
【００２７】
ガイド部１２０の上下には、ガイド部１２０とケースとの間の振動伝達を遮断するための第１防振部１１４，１１６が結合されている。
【００２８】
第１防振部１１４，１１６は上部第１防振部１１４と下部第１防振部１１６を含んでいる。上部第１防振部１１４はガイド部１２０と同様にほぼ矩形の環状となっており、ガイド部１２０の上側をカバーしている。上部第１防振部１１４の下側には、アクチュエータ部１１８に対応する位置に収容溝１１４ａが形成され、収容溝１１４ａにアクチュエータ部１１８が収容されている。下部第１防振部１１６はガイド部１２０と同様にほぼ矩形の環状に形成され、ガイド部１２０の下側をカバーしている。
【００２９】
図４は本発明の一実施例によるタッチ入力式電子機器１０００のアクチュエータ部１１８を示す平面図であり、図５は本発明の一実施例によるタッチ入力式電子機器１０００のアクチュエータ部１１８を示す部分斜視図である。
【００３０】
図４および図５に示すように、アクチュエータ部１１８は圧電素子１１８ａと支持部材１１８ｂを含むことができる。圧電素子１１８ａは長手方向に延びるバー（ｂａｒ）の形態となっている。圧電素子１１８ａは、その駆動力を向上するために積層型圧電素子１１８ａで形成されていてもよい。
【００３１】
圧電素子１１８ａの底面には支持部材１１８ｂが結合されている。支持部材１１８ｂと結合された圧電素子１１８ａは運搬が容易となる。支持部材１１８ｂは、例えば、セラミックからなっており、衝撃に弱い圧電素子１１８ａの一面を支持することによって、タッチ入力式電子機器１０００が外部から加えられる衝撃により圧電素子１１８ａが割れるのを防止できる。
【００３２】
圧電素子１１８ａの分極方向が上向きまたは下向きになると、アクチュエータ部１１８の圧電素子１１８ａが支持部材１１８ｂと結合されているため、全体が上下に振動することになる。
【００３３】
したがって支持部材１１８ｂは、変形が容易で、かつ圧電素子１１８ａによって発生した振動をガイド部１２０に効果的に伝達できる素材で形成可能である。
【００３４】
ガイド部１２０はボディ１２０ａと支持部１２０ｂを含むことができる。ボディ１２０ａはタッチスクリーンパネル部１１２の周縁を支持するように環状となっている。また、支持部１２０ｂはアクチュエータ部１１８の底面を支持するようにボディ１２０ａの一部に形成されていてよい。
【００３５】
支持部１２０ｂは支持部材１１８ｂの底面と結合され、アクチュエータ部１１８の長手方向に延びる板状であってよい。つまり、支持部１２０ｂの厚さ（ｄ１）はボディ１２０ａの厚さ（ｄ２）よりも薄くてもよく、これにより、アクチュエータ部１１８の変形により変形されてアクチュエータ部１１８から発生した振動をボディ１２０ａに伝達できるようになっている。
【００３６】
したがって、ユーザがタッチスクリーンパネル部１１２をタッチすると、アクチュエータ部１１８で発生した振動が支持部１２０ｂとボディ１２０ａ、すなわちガイド部１２０を介してタッチスクリーンパネル部１１２に伝達され、ユーザは自分のタッチに対するフィードバックを受けることができる。
【００３７】
図３に示すように、アクチュエータ部１１８としては、ガイド部１２０の両側にそれぞれ２つずつ、合計４つをガイド部１２０に結合できる。したがって、タッチスクリーンパネル部１１２の両側から発生した振動が、ガイド部１２０を介してタッチスクリーンパネル部１１２の全体に伝達され、ユーザは確実なフィードバックを受けることができる。
【００３８】
図６は、本発明の一実施例によるタッチ入力式電子機器１０００を示す断面図である。図６に示すように、上部第１防振部１１４はガイド部１２０と上部ケース１０２との間に介在され、下部第１防振部１１６はガイド部１２０と下部ケース１０４との間に介在されている。このため、第１防振部１１４，１１６によって、アクチュエータ部１１８から発生した振動がタッチスクリーンパネル部１１２以外に、ケース１０２，１０４に伝達されることを防止できる。
【００３９】
一方、第２防振部２１０をタッチスクリーンパネル部１１２の周縁に沿ってタッチスクリーンパネル部１１２とディスプレイパネル部２００との間に介在させることによって、アクチュエータ部１１８からタッチスクリーンパネル部１１２に伝達された振動がディスプレイパネル部２００またはケース内部の電子部品に伝達されることを防止できる。
【００４０】
つまり、第１防振部１１４，１１６及び第２防振部２１０によって、アクチュエータ部１１８で発生した振動が、振動を不要とする部分に伝達されることを防止し、ユーザが直接的にタッチしたタッチスクリーンパネル部１１２側に振動が伝達されるようにして、ユーザが、より効率的に振動のフィードバックの受けるようにすることができる。
【００４１】
図７は、本発明の他の一実施例によるタッチ入力式電子機器２０００を示す分解斜視図である。図７に示すように、本発明の一実施例によるタッチ入力式電子機器２０００のアクチュエータ部２１８は上部ケース２２０に結合されてタッチスクリーンパネル部２１２に振動を伝達することができる。
【００４２】
本実施例のタッチ入力式電子機器２０００は、上述した本発明の一実施例によるタッチ入力式電子機器１０００と同様に、例えば、携帯電話、ＰＤＡ、ＰＭＰ、ナビゲーション、キオスク、ゲーム機または自販機などに適用できる。
【００４３】
タッチスクリーンパネル部２１２とディスプレイパネル部２００は互いに結合されており、フレーム２３０により支持されている。これらはそれぞれほぼ矩形の形態となっている。
【００４４】
上部ケース２２０はタッチスクリーンパネル部２１２の形態に応じてほぼ矩形の環状となっている。上部ケース２２０はタッチスクリーンパネル部２１２の周縁をカバーし、タッチスクリーンパネル部２１２の外周面を支持している。
【００４５】
タッチスクリーンパネル部２１２の長手方向の先端にはキーパッド２２４が結合されている。キーパッド２２４にはユーザの操作により情報が入力される入力装置が結合される。キーパッド２２４はフレーム２３０により支持され、キーパッドカバー２２２によりその周縁が支持されている。
【００４６】
下部ケース２４０はタッチ入力式電子機器２０００の下側をカバーし、タッチ入力式電子機器２０００を構成する構成要素を収容する空間を形成している。下部ケース２４０の下側はバッテリカバー２５０によりカバーされている。
【００４７】
図８は、本発明の他の一実施例によるタッチ入力式電子機器２０００の上部ケース２２０を示す底面図である。図７および図８に示すように、アクチュエータ部２１８としては、上部ケース２２０の両側にそれぞれ２つずつ、合計４つが対称に結合されている。
【００４８】
図９は、本発明の他の一実施例によるタッチ入力式電子機器２０００の上部ケース２２０の一部を示す側面図である。図８および図９に示すように、本実施例の上部ケース２２０はアクチュエータ部２１８の両端を支持している。
【００４９】
上部ケース２２０の底面には、アクチュエータ部２１８の振動を妨げないように、アクチュエータ部２１８が結合される位置に収容溝２２０ａが形成されている。収容溝２２０ａは長手方向に延びる形態となっているアクチュエータ部２１８の形態に応じて長手方向に延びる形態となっている。
【００５０】
収容溝２２０ａの上側には支持部２２０ｂが形成されている。支持部２２０ｂは上部ケース２２０の厚さよりも薄い板状である。支持部２２０ｂはアクチュエータ部２１８の変形により変形されてアクチュエータ部２１８で発生した振動を上部ケース２２０に伝達できるようになっている。
【００５１】
支持部２２０ｂ上にはアクチュエータ部２１８が結合されている。アクチュエータ部２１８は支持部材２１８ｂと圧電素子２１８ａを含むことができる。圧電素子２１８ａは、長手方向に延びる形態となっており、より良好な駆動力を発生するために積層型圧電素子２１８ａであってもよい。
【００５２】
支持部材２１８ｂに結合された圧電素子２１８ａは、耐衝撃性が向上され、個々の移動が容易であるため、組立性を向上させることができる。
【００５３】
つまり、本実施例の上部ケース２２０は、上述した本発明の一実施例のガイド部１２０と同様に、アクチュエータ部２１８から発生した振動をタッチスクリーンパネル部２１２に伝達して、ユーザが直接的にタッチする部分に、より効果的に振動を伝達することができる。
【００５４】
以上、本発明を実施例を用いて説明したが、本発明の技術的範囲は上記の実施例に記載した範囲には限定されない。上記の実施例に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００５５】
１０２  上部ケース
１０４  下部ケース
１１２  タッチスクリーンパネル部
１１８  アクチュエータ部
１２０  ガイド部
２００  ディスプレイパネル部
１０００  タッチ入力式電子機器
【図１】
2010287207.tif 000003
【図２】
2010287207.tif 000004
【図３】
2010287207.tif 000005
【図４】
2010287207.tif 000006
【図５】
2010287207.tif 000007
【図６】
2010287207.tif 000008
【図７】
2010287207.tif 000009
【図８】
2010287207.tif 000010
【図９】
2010287207.tif 000011